(57)【要約】【課題】石膏ボードを用いた住宅建築物では、従来のように構造材を化粧梁として用いることが不可能であった。また、居室空間の多様化も求められていた。【解決手段】竿縁１１及び格縁９を、天井１２に密着配置されて下部に側面視略Ｃ字状の嵌合部２ａを具備する下地部材２と、前記嵌合部２ａが嵌合される同じく側面視略Ｃ字状の溝体３と、前記溝体３を上部に内包する竿本体４によって構成し、前記嵌合部２ａと前記溝体３の少なくとも一方を弾性体とした。【選択図】      図５
2004339781.tif 000002
【特許請求の範囲】
【請求項１】
天井板の下方から固定する竿縁または格縁を有する天井であって、
下部に嵌合部を具備する下地部材を前記天井板下面に固定するとともに、
竿縁または格縁は、前記嵌合部が嵌合される溝体と、
前記溝体を上部に内包する竿本体とからなることを特徴とする天井構造。
【請求項２】
前記嵌合部と前記溝体の少なくとも一方を弾性体で構成したことを特徴とする請求項１に記載の天井構造。
【請求項３】
前記嵌合部が断面視略Ｃ字状であり、開放部を下方に向け、前記溝体が断面視略Ｃ字状であり、開放部を上方に向けて互いに嵌合する構成としたことを特徴とする請求項１もしくは請求項２に記載の天井構造。
【発明の詳細な説明】
【０００１】
【発明の属する技術分野】
本発明は、天井に取り付けられて該天井から下方に突出配置される内装用化粧梁の技術に関する。より詳しくは、天井の施工後に天井に取り付けることが可能な、竿縁及び格縁の技術に関するものである。
【０００２】
【従来の技術】
従来より、居室空間のデザインには多様化が求められており、格式にとらわれない典型的和室の天井形式としての竿縁天井や、重厚で厳格な雰囲気をもつ格式の高い部屋に用いられる格天井が数多く建造されている。
このような天井形式は、いずれも構造材として用いられる梁部材の下部を、化粧梁として天井から下方に露出させることにより、重厚感や装飾性を付与するものであった。そして、天井は、天井裏から吊り木によって吊る敷目天井の必要があり、梁部材が配置されている箇所にしか化粧梁を設けることができず、空間構成で天井意匠をコーディネートに組込むことが困難であった。
【０００３】
一方、防火対策等の見地から、居室空間の内壁面全体を、耐火性に優れたパネル材料である石膏ボード等で覆った住宅建築物が推奨されており、近年この種の住宅建築物が増加している。このような住宅建築物では、梁部材と居室空間とが石膏ボード等によって切断されてしまうため、従来の方法のように梁部材を介して天井に化粧梁を設けることが困難である。
【０００４】
そこで、天井に矩形断面を有する下地部材を密着配置し、該下地部材の梁側部上面側に切欠き係止溝を形成し、係止片を介して化粧梁の側壁部を支持し、側壁部により化粧梁の底壁部を支持させることで、内装用の化粧梁を形成させていた（例えば、特許文献１参照。）。
【０００５】
【特許文献１】
特開２００２−７０２３１号公報
【０００６】
【発明が解決しようとする課題】
しかし、従来の内装用化粧梁は、化粧梁を設置する住宅等の建設現場で、下地部材、係止片、側壁部、底壁部等を接着させる必要があった。そのため、建設現場において、作業者の手間と時間がかかるという不具合があった。
【０００７】
【課題を解決するための手段】
本発明の解決しようとする課題は以上の如くであり、次にこの課題を解決するための手段を説明する。
【０００８】
即ち、請求項１においては、天井板の下方から固定する竿縁または格縁を有する天井であって、
下部に嵌合部を具備する下地部材を前記天井板下面に固定するとともに、
竿縁または格縁は、前記嵌合部が嵌合される溝体と、
前記溝体を上部に内包する竿本体とからなるものである。
【０００９】
請求項２においては、前記嵌合部と前記溝体の少なくとも一方を弾性体で構成したものである。
【００１０】
請求項３においては、前記嵌合部が断面視略Ｃ字状であり、開放部を下方に向け、前記溝体が断面視略Ｃ字状であり、開放部を上方に向けて互いに嵌合する構成としたものである。
【００１１】
【発明の実施の形態】
次に、発明の実施の形態を添付の図面を用いて説明する。
図１は竿縁天井１の斜視図、図２は下地部材２の斜視図、図３は溝体３の斜視図、図４は竿本体４の斜視図、図５は竿本体４と下地部材２嵌合時の側断面図、図６は格天井５の斜視図、図７は天井板６取り付け時の斜視図、図８は固定部材７ａ取り付け時の斜視図、図９は第一廻縁８ａ取り付け時の斜視図、図１０は第一廻縁８ａ取り付け時の側断面図、図１１は第一格縁９ａ取り付け時の斜視図、図１２は第一格縁９ａと第二格縁９ｂの斜視図、図１３は第一廻縁８ａと第一格縁９ａ嵌合時の断面図、図１４は第二廻縁８ｂ取り付け時の斜視図、図１５は第二格縁９ｂ取り付け時の斜視図、図１６は二重廻縁１０取り付け時の側断面図である。
【００１２】
まず、竿縁天井１の施工方法について説明する。
本実施形態では、図７に示すように、石膏ボード２３を先に張り上げてから、天井板６を取り付ける天井施工手順になっている。そして、天井板６を取り付けた後に、竿縁１１を取り付けるものである。
まず、図１に示すように、天井板６を取り付けた後に、天井１２の四方に廻縁８を取り付ける。その後、竿縁１１の配置箇所に、竿縁１１固定用の下地部材２をビス１３等で取り付ける。下地部材２は、図２に示すように、断面視略Ｃ字状の嵌合部２ａと、プレート状の台座２ｂから構成されており、該嵌合部２ａの略Ｃ字状の開放側を下側に向けて、台座２ｂを上側にしてその上面を天井板６に当てて配置して、嵌合部２ａの内側から上方に向けてビス１３等を打ち込み、天井板６に取り付ける。ビス１３の個数、位置は、竿本体４（図４参照）の重さ等によって、変更させることが可能である。
【００１３】
このように、前記嵌合部２ａと前記溝体３の少なくとも一方を弾性体で構成したことにより、例えば、嵌合部２ａを弾性体とした場合、後述する溝体３を該嵌合部２ａに嵌め込む時に、嵌合部２ａが内側に撓んでスムースに嵌合することができる。嵌合後はその弾力により開いて元の状態になり、竿縁１１が落下することはないのである。
【００１４】
竿縁１１は、図４に示すように、溝体３と竿本体４とからなり、該竿本体４は断面視矩形または面取りした断面視多角形に構成され、上面の短手方向中央に溝体４ａが長手方向に形成され、該溝体４ａ内に丁度前記溝体３が嵌入される大きさとし、該溝体４ａに前記断面視略Ｃ字状の溝体３が挿入されて、ビス１４で固定若しくは接着剤等によって接着固定されており、略Ｃ字状の溝体３の開放部を上側に向けて、竿本体４の上部中央に埋め込むように固設してある。該溝体３は図３に示すように、断面視略Ｃ字状の形をしており、前記嵌合部２ａを内側に嵌合できる大きさに構成し、嵌合後において嵌合部２ａを挟み込んで外れることがないように構成している。なお、下地部材２と溝体３は金属または合成樹脂等弾性を有する部材で一体的に構成されている。
こうして、下地部材２を天井板６に取り付けた後、前記嵌合部２ａに嵌合する溝体３を具備した竿縁１１（図４参照）を、下から押し上げ、溝体３と嵌合部２ａを嵌合させて、竿縁１１を天井板６に固定することができる。
【００１５】
このように、前記嵌合部２ａが断面視略Ｃ字状であり、開放部を下方に向け、前記溝体３が断面視略Ｃ字状であり、開放部を上方に向けて互いに嵌合する構成としたことにより、嵌合部２ａを溝体３に挿入させた後、嵌合部２ａが溝体３から外れにくくすることができ、ワンタッチで竿縁１１を天井板６に固定することができ、簡単に着脱ができるとともに、取付時間を短縮することができる。
【００１６】
竿縁１１を天井板６に固定した状態の側断面図を図５に示す。即ち、嵌合部２ａが溝体３に挟み込まれ、弾性体である嵌合部２ａと弾性体である溝体３が嵌合状態で維持される。なお、溝体３と竿本体４の溝体４ａの間に隙間を設けて、溝体３と竿本体４の一方を弾性体で構成することもできる。溝体３を弾性体とした場合は、嵌合時に溝体３が外側へ広がり、嵌合部２ａを弾性体とした場合には、嵌合時に、嵌合部２ａが内側に撓み、嵌合後に元の状態に戻って竿縁１１を固定することができる。
また、嵌合部２ａと溝体３の嵌合のみで、竿縁１１の取り付けが不安定な場合は、嵌合部２ａの外側と溝体３の内側に接着剤を塗布する等して、強固に固定することもできる。
また、竿本体４の美観を高めるために、竿本体４の外周囲に、杉や檜等の単板２４を貼り付けても良い。
【００１７】
次に格天井５を形成する場合について説明する。
格天井５も竿縁天井１と同じく、図６に示すように、天井板６を取り付けた後に配設できるものである。
図７に示すように、まず、石膏ボード２３の下面に、下地合板１５配設する。そして、下地合板１５の下面に、釘１６等によって天井板６を取り付ける。詳しくは、台板１７に正方形の化粧板１８を直線状に４枚ずつ貼ったものを一枚の天井板６とし、該天井板６を下地合板１５に取り付ける。
【００１８】
次に、第一格縁９ａ用の第一廻縁８ａの配設を一本だけ行う。格縁は、図６に示すように、天井の前後方向に配設される第一格縁９ａと左右方向に配設される第二格縁９ｂの２種類が配設されるものである。第一廻縁８ａは、先に取り付けられる該第一格縁９ａと、天井の端にて直角に当接するものである。第一格縁９ａと平行に配設される第二廻縁８ｂの配設は、後述するように、第一格縁９ａと直角に交わる第二格縁９ｂの配設の直前に行う。
天井板６を取り付けた後、図８に示すように、第一廻縁８ａを固定する箇所に固定部材７ａを固設する。固定部材７ａには、雑巾摺等を用い、該固定部材７ａの固設には、ビス２０等を用いる。
【００１９】
固定部材７ａの固設が完了すると、図９に示すように、天井板６に取り付けた固定部材７ａに第一廻縁８ａを取り付ける。詳しくは、図１０に示すように、固定部材７ａに第一廻縁８ａを被せるように、下から第一廻縁８ａを押し上げて取り付ける。この固設には接着剤を用いる。
次に、図９に示すように、第一格縁９ａの配設箇所に、下地部材２を固設する。下地部材２の天井板６への固設は、前述したように、嵌合部２ａを下にして、嵌合部２ａの内側にビス１３等を打ち込むことにより行う。下地部材２の配設間隔は、第一格縁９ａの大きさや重さによって適宜変更する。ビス１３のみの固設で緩みがある場合は、接着剤も用いる。
【００２０】
そして、図１１に示すように、天井板６に第一格縁９ａを取り付ける。詳しくは、天井板６に固設された下地部材２の嵌合部２ａを第一格縁９ａの竿本体４上部に埋め込まれている溝体３に嵌合させるように、第一格縁９ａを天井１２に向かって押し付けて固設する。第一格縁９ａは、図１２（ａ）に示すように、溝体３が竿本体４の上部左右（短辺方向）中央に埋め込まれており、また、第二格縁９ｂと直交させて出っ張りが小さくなるように組み付け固定するために、竿本体４下部に適宜間隔をあけて切り込み２２ａが形成されている。図１２（ｂ）に第一格縁９ａと直交する第二格縁９ｂを示す。第二格縁９ｂ上部にも第一格縁９ａと交わる部分に前記同様に切り込み２２ｂが形成されている。
嵌合部２ａと溝体３の嵌合のみで、第一格縁９ａの取り付けが不安定な場合は、嵌合部２ａの外側と溝体３の内側に接着剤を塗布する等して、強固な固設を行う。嵌合部２ａと溝体３は前記同様に構成されている。
【００２１】
第一廻縁８ａには、図１３に示すように、切り込み１９ａが形成されており、第一格縁９ａの先端には該切り込み１９ａに合わせた凸部が形成され、該凸部を切り込み１９ａに差し込みながら、配設予定箇所に固定する。このとき、天井板６と天井板６の継ぎ目に下地部材２の中心を合わせて固定しておく。また、ビス１３が天井板６の継ぎ目に入り込まないように、斜めに打ち込んだり、若干中心からずらす方が好ましい。
第一格縁９ａが全て固設されると、前述の第一廻縁８ａの二本目を、前述同様の方法で取り付ける。
【００２２】
第一格縁９ａ及び第一廻縁８ａの取り付けが完了すると、次に第二格縁９ｂの取り付けを行う。
前述同様、まず、第二格縁９ｂと天井の端で直角に当接する第二廻縁８ｂの配設箇所に、固定部材７ｂをビス２０等を用いて固設する。そして、図１４のように、接着剤により固定部材７ｂに第二廻縁８ｂを取り付ける。
【００２３】
次に、図１５に示すように、第二格縁９ｂを第二廻縁８ｂの切り込み１９ｂに差し込みながら、同時に、切り込み２２ｂを第一格縁９ａの切り込み２２ａに嵌め込んで固定させる。
第二格縁９ｂの取り付けが完了すると、第二廻縁８ｂの２本目を、１本目と同様にして、取り付ける。この場合も、前述同様に、第二廻縁８ｂの切り込み１９ｂと第二格縁９ｂの端部が嵌合するようにする。
【００２４】
最後に、図１５に示すように、四方の廻縁の下方に、二重廻縁１０を固設する。固設は、接着剤を用いて行う。
【００２５】
このように、天井板６の下方から固定する竿縁１１または格縁９を有する天井であって、
下部に嵌合部２ａを具備する下地部材２を前記天井板６下面に固定するとともに、
竿縁１１または格縁９は、前記嵌合部２ａが嵌合される溝体３と、
前記溝体３を上部に内包する竿本体４とからなるので、
天井１２を施工後に、竿縁１１及び格縁９を形成することができ、石膏ボード２３を使用した建築物であっても、自由な天井意匠がコーディネートできる。
また、建築現場では、下地部材２を天井１２に固設すれば、あとは竿縁１１及び格縁９をしたから押し上げるだけで、竿縁天井１及び格天井５を作ることができ、建築現場での作業者の手間と時間が大幅に短縮できる。
加えて、下地部材２や溝体３が、外部から全く見えないので、美観が損なわれることなく、天井意匠の形成ができる。即ち、下地部材２、溝体３、竿本体４はそれぞれの別の部材を用いることができ、外から見えるのは、竿本体４のみであるから、様々なデザインの意匠を構築できるようになる。
【００２６】
【発明の効果】
本発明は、以上のように構成したので、以下に示すような効果を奏する。
【００２７】
即ち、請求項１に示す如く、天井板の下方から固定する竿縁または格縁を有する天井であって、
下部に嵌合部を具備する下地部材を前記天井板下面に固定するとともに、
竿縁または格縁は、前記嵌合部が嵌合される溝体と、
前記溝体を上部に内包する竿本体とからなるので、
天井を施工後に、竿縁及び格縁を形成することができ、石膏ボードを使用した建築物であっても、自由な天井意匠がコーディネートできる。
また、建築現場では、下地部材を天井に固設し、竿縁及び格縁を下から押し上げて嵌合させるだけで、竿縁天井及び格天井を作ることができ、建築現場での作業者の手間と時間が大幅に短縮できる。
加えて、下地部材や溝体が、外部から全く見えないので、美観が損なわれることなく、天井意匠の形成ができる。即ち、下地部材、溝体、竿本体はそれぞれの別の部材を用いることができ、外から見えるのは竿本体のみであるから、竿本体に様々な材料を用いて、多様なデザインの天井意匠を構築できるようになるのである。
【００２８】
請求項２に示す如く、前記嵌合部と前記溝体の少なくとも一方を弾性体で構成したので、
例えば、嵌合部を弾性体とした場合、溝体を該嵌合部に嵌め込む時に、嵌合部が内側に撓んでスムースに嵌合することができ、嵌合後はその弾力により開いて元の状態になり、竿縁や格縁の落下を防止できる。
【００２９】
請求項３に示す如く、前記嵌合部が断面視略Ｃ字状であり、開放部を下方に向け、前記溝体が断面視略Ｃ字状であり、開放部を上方に向けて互いに嵌合する構成としたので、
嵌合部を溝体に挿入させた後、嵌合部が溝体から外れにくくすることができ、ワンタッチで竿縁や格縁を天井板に固定することができ、簡単に着脱ができるとともに、取付時間を短縮することができる。
【図面の簡単な説明】
【図１】本発明の一実施例に係る竿縁天井１の斜視図。
【図２】下地部材２の斜視図。
【図３】溝体３の斜視図。
【図４】竿本体４の斜視図。
【図５】竿本体４と下地部材２嵌合時の側断面図。
【図６】格天井５の斜視図。
【図７】天井板６取り付け時の斜視図。
【図８】固定部材７ａ取り付け時の斜視図。
【図９】第一廻縁８ａ取り付け時の斜視図。
【図１０】第一廻縁８ａ取り付け時の側断面図。
【図１１】第一格縁９ａ取り付け時の斜視図。
【図１２】第一格縁９ａと第二格縁９ｂの斜視図。
【図１３】第一廻縁８ａと第一格縁９ａ嵌合時の断面図。
【図１４】第二廻縁８ｂ取り付け時の斜視図。
【図１５】第二格縁９ｂ取り付け時の斜視図。
【図１６】二重廻縁１０取り付け時の側断面図。
【符号の説明】
１  竿縁天井
２  下地部材
２ａ  嵌合部
２ｂ  台座
３  溝体
４  竿本体
５  格天井
９  格縁
１１  竿縁
１２  天井
【図１】
2004339781.tif 000003
【図２】
2004339781.tif 000004
【図３】
2004339781.tif 000005
【図４】
2004339781.tif 000006
【図５】
2004339781.tif 000007
【図６】
2004339781.tif 000008
【図７】
2004339781.tif 000009
【図８】
2004339781.tif 000010
【図９】
2004339781.tif 000011
【図１０】
2004339781.tif 000012
【図１１】
2004339781.tif 000013
【図１２】
2004339781.tif 000014
【図１３】
2004339781.tif 000015
【図１４】
2004339781.tif 000016
【図１５】
2004339781.tif 000017
【図１６】
2004339781.tif 000018